(57)【要約】【課題】興味を引きかつ被検体の状態を容易に把握できる表示を行う表示装置、この表示装置を有する生体関連情報表示システム、及び、表示装置で用いられる表示制御プログラムを提供する。【解決手段】表示装置２０が、表示部２１と、表示部２１に血中ヘモグロビン変化（Ｈｂ変化量）に対応するアイコンを表示するとともに、Ｈｂ変化量に応じてアイコンの表示の大きさを変化させる制御部２３と、を有している。【選択図】図２
2016202412.tif 000002
【特許請求の範囲】
【請求項１】
被検体に照射され前記被検体を経由して受光された近赤外光に基づいて推定された生体関連情報を表示する表示装置であって、
表示部と、
前記表示部に前記生体関連情報に対応する絵記号を表示するとともに、前記生体関連情報の変化に応じて前記絵記号の表示態様を変化させる表示制御部と、を有していることを特徴とする表示装置。
【請求項２】
被検体に照射され前記被検体を経由して受光された近赤外光に基づいて推定された複数の生体関連情報を表示する表示装置であって、
表示部と、
前記表示部に前記複数の生体関連情報に対応する絵記号を表示するとともに、前記複数の生体関連情報のうちの１又は複数の生体関連情報の変化に応じて前記複数の絵記号のうちの１又は複数の絵記号の表示態様を変化させる表示制御部と、を有していることを特徴とする表示装置。
【請求項３】
前記表示制御部が、前記複数の絵記号のうちの一部の絵記号について、前記複数の生体関連情報のうちの１又は複数の生体関連情報の変化に応じて表示態様を変化させ、他の一部の絵記号について、周期的に表示態様を変化させるように構成されている請求項２に記載の表示装置。
【請求項４】
前記生体関連情報の値域を複数の値域部分に区画する１又は複数の閾値を記憶する閾値記憶部をさらに有し、
前記複数の値域部分には、複数の異なる表示態様の前記絵記号が割り当てられ、
前記表示制御部が、推定された前記生体関連情報が含まれる前記値域部分に割り当てられた表示態様の前記絵記号を表示するように構成されている請求項１〜３のいずれか一項に記載の表示装置。
【請求項５】
前記閾値が入力される閾値入力部と、
前記閾値入力部に入力された前記閾値を前記閾値記憶部に記憶させる閾値設定部と、をさらに有している請求項４に記載の表示装置。
【請求項６】
前記複数の値域部分には、複数の異なる表示態様として複数の異なる大きさの前記絵記号が割り当てられている請求項４又は５に記載の表示装置。
【請求項７】
前記複数の値域部分には、複数の異なる表示態様として複数の異なる色の前記絵記号が割り当てられている請求項４〜６のいずれか一項に記載の表示装置。
【請求項８】
近赤外光を被検体に照射する発光部と、前記被検体を経由した前記近赤外光を受光する受光部と、前記受光部に受光された前記近赤外光に基づいて生体関連情報を推定する生体関連情報推定部と、前記生体関連情報推定部によって推定された前記生体関連情報を表示する表示装置と、を有する生体関連情報表示システムであって、
前記表示装置が、請求項１〜７のいずれか一項に記載の表示装置で構成されていることを特徴とする生体関連情報表示システム。
【請求項９】
被検体に照射され前記被検体を経由して受光された近赤外光に基づいて推定された生体関連情報を表示部に表示する表示装置が有するコンピュータを、
前記表示部に前記生体関連情報を示す絵記号を表示するとともに、前記生体関連情報の変化に応じて前記絵記号の表示態様を変化させる表示制御部として機能させることを特徴とする表示制御プログラム。
【発明の詳細な説明】
【技術分野】
【０００１】
本発明は、被検体に照射され前記被検体を経由して受光された近赤外光に基づいて推定された生体関連情報を表示する表示装置、この表示装置を有する生体関連情報表示システム、及び、表示装置で用いられる表示制御プログラムに関する。
【背景技術】
【０００２】
特許文献１には、近赤外光を照射するとともに血中を通過した近赤外光を受光して、受光した近赤外光に基づいて生体関連情報である脱酸素化ヘモグロビン濃度を演算する運動状態測定装置が記載されている。この運動状態測定装置では、演算した脱酸素化ヘモグロビン濃度に基づいてさらに運動状態を算出し、この運動状態を数値又は経時的な変化を示すグラフにより表示する。
【先行技術文献】
【特許文献】
【０００３】
【特許文献１】特開２０１４−２２６４１７号公報
【発明の概要】
【発明が解決しようとする課題】
【０００４】
しかしながら、上述した運動状態測定装置では、生体関連情報に基づく運動状態を数値又はグラフにより表示することから、表示が単調であるため飽きやすく、さらには運動状態を把握しにくいという問題があった。
【０００５】
そこで本発明は、上記従来の課題を解決するためのものであり、興味を引きかつ被検体の状態を容易に把握できる表示を行う表示装置、この表示装置を有する生体関連情報表示システム、及び、表示装置で用いられる表示制御プログラムを提供することを目的とする。
【課題を解決するための手段】
【０００６】
上記課題を解決するため、本発明の一態様は、被検体に照射され前記被検体を経由して受光された近赤外光に基づいて推定された生体関連情報を表示する表示装置であって、表示部と、前記表示部に前記生体関連情報に対応する絵記号を表示するとともに、前記生体関連情報の変化に応じて前記絵記号の表示態様を変化させる表示制御部と、を有していることを特徴とする表示装置である。このようにしたことから、生体関連情報により示される被検体の状態が絵記号の表示態様に反映されて、絵記号により視覚的に被検体の状態を示すことができる。
【０００７】
本発明の他の一態様は、被検体に照射され前記被検体を経由して受光された近赤外光に基づいて推定された複数の生体関連情報を表示する表示装置であって、表示部と、前記表示部に前記複数の生体関連情報に対応する絵記号を表示するとともに、前記複数の生体関連情報のうちの１又は複数の生体関連情報の変化に応じて前記複数の絵記号のうちの１又は複数の絵記号の表示態様を変化させる表示制御部と、を有していることを特徴とする表示装置である。このようにしたことから、複数の生体関連情報により示される被検体の状態が複数の絵記号のうちの１又は複数の絵記号の表示態様に反映されて、絵記号により視覚的に被検体の状態を示すことができる。
【０００８】
上記表示装置は、前記表示制御部が、前記複数の絵記号のうちの一部の絵記号について、前記複数の生体関連情報のうちの１又は複数の生体関連情報の変化に応じて表示態様を変化させ、他の一部の絵記号について、周期的に表示態様を変化させるように構成されていてもよい。このようにすることで、生体関連情報の変化に応じて不規則的に表示態様を変化させる絵記号と、時間経過に応じて規則的に表示態様を変化させる絵記号とを混在して表示することができ、表示態様に変化を与えることができる。
【０００９】
上記表示装置は、前記生体関連情報の値域を複数の値域部分に区画する１又は複数の閾値を記憶する閾値記憶部をさらに有し、前記複数の値域部分には、複数の異なる表示態様の前記絵記号が割り当てられ、前記表示制御部が、推定された前記生体関連情報が含まれる前記値域部分に割り当てられた表示態様の前記絵記号を表示するように構成されていてもよい。このようにすることで、生体関連情報を示す値が取り得る値域について、例えば、表示色の明るさについて明、中、暗、又は、表示の大きさについて大、中、小などの３つの値域部分に分けて、各値域部分に絵記号を割り当てることで、各絵記号により被検体の状態を大まかに示すことができる。
【００１０】
上記表示装置は、前記閾値が入力される閾値入力部と、前記閾値入力部に入力された前記閾値を前記閾値記憶部に記憶させる閾値設定部と、をさらに有していてもよい。このようにすることで、閾値を再設定することができるので、値域部分の幅を、例えば、男性、女性、年齢層などの被検体のタイプに合わせて変更することができる。
【００１１】
上記表示装置は、前記複数の値域部分に、複数の異なる表示態様として複数の異なる大きさの前記絵記号が割り当てられていてもよい。このようにすることで、生体関連情報の値に応じて絵記号の大きさが変化して、絵記号の大きさにより視覚的に被検体の状態を示すことができる。
【００１２】
上記表示装置は、前記複数の値域部分に、複数の異なる表示態様として複数の異なる色の前記絵記号が割り当てられていてもよい。このようにすることで、生体関連情報の値に応じて絵記号の色が変化して、絵記号の色により視覚的に被検体の状態を示すことができる。
【００１３】
本発明の別の一態様は、近赤外光を被検体に照射する発光部と、前記被検体を経由した前記近赤外光を受光する受光部と、前記受光部に受光された前記近赤外光に基づいて生体関連情報を推定する生体関連情報推定部と、前記生体関連情報推定部によって推定された前記生体関連情報を表示する表示装置と、を有する生体関連情報表示システムであって、前記表示装置が、上記表示装置で構成されていることを特徴とする生体関連情報表示システムである。
【００１４】
本発明のさらに別の一態様は、被検体に照射され前記被検体を経由して受光された近赤外光に基づいて推定された生体関連情報を表示部に表示する表示装置が有するコンピュータを、前記表示部に前記生体関連情報を示す絵記号を表示するとともに、前記生体関連情報の変化に応じて前記絵記号の表示態様を変化させる表示制御部として機能させることを特徴とする表示制御プログラムである。
【発明の効果】
【００１５】
本発明によれば、興味を引きかつ被検体の状態を容易に把握できる表示を行うことができる。
【図面の簡単な説明】
【００１６】
【図１】本発明の一実施形態にかかる生体関連情報表示システムの斜視図である。
【図２】図１の生体関連情報表示システムの機能ブロック図である。
【図３】図１の生体関連情報表示システムが有する表示装置の表示部に表示される生体関連情報表示画面の一例を示す図である。
【図４】図１の生体関連情報表示システムが有する表示装置の表示部に表示される生体関連情報表示画面の他の一例を示す図である。
【図５】図１の生体関連情報表示システムが有する表示装置の表示部に表示される設定画面の一例を示す図である。
【図６】生体関連情報表示画面に表示されるグラフエリアの一例を示す図である。
【図７】生体関連情報表示画面に表示されるアイコンの大きさの変化を説明する図である。
【図８】生体関連情報表示画面に表示されるアイコンの表示色の明るさの変化を説明する図である。
【図９】生体関連情報表示画面に表示されるアイコンの形状の変化を説明する図である。
【図１０】生体関連情報表示画面に表示されるアイコンの大きさの変化を説明する図である。
【図１１】生体関連情報表示画面の変形例の構成を示す図である。
【発明を実施するための形態】
【００１７】
以下、本発明の一実施形態を図面に基づいて説明する。なお、以下の説明では、同一の部分には同一の符号を付し、一度説明した部分については適宜その説明を省略する。
【００１８】
（システム構成の説明）
図１は、本発明の一実施形態にかかる生体関連情報表示システムの斜視図である。図２は、図１の生体関連情報表示システムの機能ブロック図である。
【００１９】
図１に示す本実施形態の生体関連情報表示システム１は、ゴムバンドなどにより人の生体である被検体の腕や胸等に直接接するように装着され、被検体の生体関連情報を推定するとともに推定した生体関連情報を無線通信により送信する携帯型のセンサモジュール１０と、センサモジュール１０から送信される生体関連情報を表示する表示装置２０と、を有している。
【００２０】
図２に示すように、センサモジュール１０は、発光部１１と、受光部１２と、制御部１３と、無線通信部１４と、を有している。また、センサモジュール１０は、電池動作を実現する図示しない電源回路を有している。
【００２１】
発光部１１は、近赤外光を発する発光ダイオード素子やレーザー素子などからなる一対の発光素子１１ａと、一対の発光素子１１ａを駆動するドライブ回路１１ｂとを有している。
【００２２】
受光部１２は、受光した近赤外光に応じた信号（受光信号）を出力する受光素子１２ａと、受光素子１２ａが出力する受光信号を増幅する増幅回路１２ｂと、を有している。一対の発光素子１１ａ及び受光素子１２ａは、被検体の肌と対向するように配置される。
【００２３】
制御部１３は、マイクロコンピュータで構成されている。制御部１３は、発光部１１のドライブ回路１１ｂにタイミング信号を送信して、一対の発光素子１１ａ、１１ａから近赤外光を発するように制御する。また、制御部１３は、内蔵のアナログ−デジタル変換回路を用いて、受光部１２の増幅回路１２ｂから出力された増幅後の受光信号を処理可能なデジタル形式の信号情報に変換し、この変換した信号情報に基づいて、血中ヘモグロビン変化（Ｈｂ変化量）、血中酸素比率変化（酸素度）及び脈拍数（心数）の各生体関連情報を推定する。制御部１３は、生体関連情報推定部として機能する。
【００２４】
無線通信部１４は、制御部１３で推定した生体関連情報を、例えば、Ｂｌｕｅｔｏｏｔｈ（登録商標）などの無線通信規格を用いた通信により後述する表示装置２０に送信する。なお、センサモジュール１０は、生体関連情報ではなく、生体関連情報の推定に用いる上記信号情報を無線通信により表示装置２０に送信して、表示装置２０において上記信号情報に基づき生体関連情報を推定する構成としてもよい。
【００２５】
表示装置２０は、タブレット端末であって、あらかじめインストールされたアプリケーションプログラム（以下、単に「アプリ」という。）や、インターネットなどからダウンロードしたアプリなどの様々な種類のアプリを実行可能であり、目的に応じたアプリを実行することにより、各種装置として機能する。本実施形態は、表示装置２０において、生体関連情報を表示するためのアプリを実行することにより、表示装置２０は生体関連情報表示システム１の一部を構成する装置として機能する。
【００２６】
図２に示すように、表示装置２０は、液晶ディスプレイからなる表示部２１と、液晶ディスプレイの表面に重ねられたタッチパネル２２と、マイクロコンピュータを有する制御部２３と、作業用メモリ及び情報保存用メモリを有する記憶部２４と、無線通信モジュールからなる無線通信部２５と、を有している。
【００２７】
表示部２１は、制御部２３から出力された表示制御情報に応じて文書や画像などの各種画面を表示するとともに当該各種画面内でボタンやテキスト入力エリア、キーボード、テンキーなどの操作アイテムを表示する。
【００２８】
タッチパネル２２は、上記操作アイテムに対応する箇所に利用者によって接触操作が入力される。ここで、接触操作には、例えば、タップ（指で比較的短い期間接触する）、ロングタップ（指で比較的長い期間接触する）、フリック（指を接触して所定方向に短く払う（短くスライドする））及びドラッグ（指を接触したままスライドさせたのち指を離す）などがある。
【００２９】
制御部２３は、例えば、タッチパネル２２対して利用者が入力した接触操作に関する情報が入力され、当該入力された情報に基づいて、表示部２１に対して所定の画像を表示するための表示制御情報を出力する。また、制御部２３は、記憶部２４との間で各種情報が取り交わされ、記憶部２４から所定の情報を読み出し、かつ、記憶部２４に所定の情報を記憶させる。無線通信部２５は、センサモジュール１０から送信された生体関連情報を受信し、制御部２３は、無線通信部２５が受信した生体関連情報を取り込む。
【００３０】
本実施形態において、表示装置２０は、センサモジュール１０から送信された生体関連情報を表示する生体関連情報表示プログラムとしての生体関連情報表示アプリケーションプログラム（以下、単に「生体アプリ」という。）を実行することができる。
【００３１】
（動作説明）
次に、上述した生体関連情報表示システム１の動作の一例について、図３〜図１０を参照して説明する。
【００３２】
図３は、図１の生体関連情報表示システムが有する表示装置の表示部に表示される、センサモジュールとの通信未確立時の生体関連情報表示画面の一例を示す図であり、図４は、センサモジュールとの通信確立時の生体関連情報表示画面の一例を示す図である。図５は、図１の生体関連情報表示システムが有する表示装置の表示部に表示される設定画面の一例を示す図である。図６は、生体関連情報表示画面に表示されるＨｂ変化量を示すグラフエリアの一例を示す図である。図７は、生体関連情報表示画面に表示されるＨｂ変化量を示すアイコンの大きさの変化を説明する図である。図８は、生体関連情報表示画面に表示される各生体関連情報に対応するアイコンの表示色の明るさの変化を説明する図である。図９は、生体関連情報表示画面に表示されるＨｂ変化量を示すアイコンの形状の変化を説明する図である。図１０は、生体関連情報表示画面に表示される心数を示す。アイコンの大きさの変化を説明する図である。
【００３３】
生体関連情報表示システム１のセンサモジュール１０は、ゴムバンドにより人の生体（例えば、腕や胸など）に取り付けられる。センサモジュール１０は、図示しない電源スイッチが操作されて電源が投入されると生体関連情報推定動作を開始する。センサモジュール１０は、生体関連情報推定動作として、発光部１１から近赤外光を発するとともに受光部１２で被検体を経由した近赤外光を受光し、受光した近赤外光に基づき血中ヘモグロビン変化（Ｈｂ変化量）、血中酸素比率変化（酸素度）及び脈拍数（心数）の各生体関連情報を推定して、これら生体関連情報を無線通信により表示装置２０に逐次送信する。
【００３４】
表示装置２０は、各種アプリに対応したアプリアイコン画像が整列表示されたホーム画面において、生体アプリに対応するアイコン画像がタップされると、制御部２３により生体アプリを実行して、図３〜図５に示す生体関連情報表示画面Ｗ１、生体関連情報表示画面Ｗ２及び設定画面Ｓを表示部２１に表示する。制御部２３は、表示制御部として機能する。
【００３５】
図３、図４に示すように、生体関連情報表示画面Ｗ１、Ｗ２は、生体関連情報を表示する複数の表示領域を有する。
（１）第１表示領域Ａ（Ｈｂ変化量）
（２）第２表示領域Ｂ（酸素度）
（３）第３表示領域Ｃ（心数）
（４）第４表示領域Ｄ（予備領域）
【００３６】
図３に示す生体関連情報表示画面Ｗ１は、表示装置２０とセンサモジュール１０とが通信が確立していない状態を示し、図４に示す生体関連情報表示画面Ｗ２は、通信が確立し、各生体関連情報を受信している状態を示す。生体関連情報表示画面Ｗ１、Ｗ２は、左右方向に帯状に伸びる第１表示領域Ａ、第２表示領域Ｂ、第３表示領域Ｃ、第４表示領域Ｄが、上から下に順に配列されている。
【００３７】
（１）第１表示領域Ａ（Ｈｂ変化量）
第１表示領域Ａは、血中ヘモグロビン変化（Ｈｂ変化量）に関する情報を表示する領域である。第１表示領域Ａの左端部には、第１表示領域ＡのタイトルＡ１（「Ｈｂ変化量」）を配置し、タイトルＡ１の下にＨｂ変化量を示す赤血球形状の絵記号であるアイコンＡ２を配置し、アイコンＡ２の右隣にＨｂ変化量を示す数値Ａ３を配置し、数値Ａ３の右隣に、Ｈｂ変化量の経時変化を示すグラフが描かれるグラフエリアＡ４を配置している。グラフエリアＡ４の上部には、凡例（ΔｏｘｙＨｂ、ΔｄｅｏｘｙＨｂ、ΔｔｏｔａｌＨｂ）を配置している。
【００３８】
（２）第２表示領域Ｂ（酸素度）
第２表示領域Ｂは、血中酸素比率変化（酸素度）に関する情報を表示する領域である。第２表示領域Ｂの左端部に、第２表示領域ＢのタイトルＢ１（「酸素度」）を配置し、タイトルＢ１の下に酸素度を示す円形状の絵記号であるアイコンＢ２を配置し、アイコンＢ２の右隣に酸素度を示す数値Ｂ３を配置している。
【００３９】
（３）第３表示領域Ｃ（心数）
第３表示領域Ｃは、脈拍数（心数）に関する情報を表示する領域である。第３表示領域Ｃの左端部に、第３表示領域ＣのタイトルＣ１（「心数」）を配置し、タイトルＣ１の下に心数を示すハート形状の絵記号であるアイコンＣ２を配置し、アイコンＣ２の右隣に心数を示す数値Ｃ３を配置する。
【００４０】
（４）第４表示領域Ｄ（予備領域）
第４表示領域Ｄは、追加の生体関連情報を表示するための予備的な表示領域であり、本実施形態では、空欄としている。
【００４１】
本実施形態では、各表示領域Ａ〜Ｃに表示される各アイコンＡ２〜Ｃ２を、赤色を基調とした色で表示している。
【００４２】
生体関連情報表示画面Ｗ１、Ｗ２の右下には、歯車形状のアイコンを有する設定タブＸが表示されている。この設定タブＸを３回連続してタップすると、設定画面Ｓが生体関連情報表示画面Ｗ１、Ｗ２の右端からスライドしながら現われて、図５に示すように、生体関連情報表示画面Ｗ１を右端から左端に向けて２分の１程度覆うように設定画面Ｓを表示する。
【００４３】
設定画面Ｓは、生体関連情報の表示に関するパラメータを設定するための複数の設定領域を有する。
（５）グラフ表示範囲設定領域Ｅ
（６）表示サイズ変化閾値設定領域Ｆ
（７）表示色変化閾値設定領域Ｇ
【００４４】
図５に示すように、設定画面Ｓには、グラフエリアＡ４に表示するグラフ波形の表示範囲（最大値・最小値）を設定するためのグラフ表示範囲設定領域Ｅ、アイコンＡ２の表示の大きさを変化させる閾値を設定するための表示サイズ変化閾値設定領域Ｆ、及び、各アイコンＡ２〜Ｃ２の表示色の明るさを変化させる閾値を設定するための表示色変化閾値設定領域Ｇ、が上から下に順に配列されている。
【００４５】
（５）グラフ表示範囲設定領域Ｅ
グラフ表示範囲設定領域Ｅは、Ｈｂ変化量の経時変化を示すグラフが描かれるグラフエリアＡ４の表示範囲（最大値・最小値）を設定するためのものである。グラフ表示範囲設定領域Ｅの上部に、当該領域のタイトルＥ１（「Ｈｂ変化量グラフ」）を配置し、左端部に最大値・最小値を初期値に戻すリセットボタンＥ２を配置し、リセットボタンＥ２の右隣に最大値・最小値の数値Ｅ３を配置し、数値Ｅ３の右隣に最大値・最小値を増減するための増加ボタン「＋」及び減少ボタン「−」を有する増減ボタンＥ４、Ｅ５を配置している。
【００４６】
グラフ表示範囲設定領域Ｅにおいて、最大値に対応する増減ボタンＥ４の増加ボタンをタップすると数値Ｅ３の最大値が増加し、増減ボタンＥ４の減少ボタンをタップすると数値Ｅ３の最大値が減少する。最小値に対応する増減ボタンＥ５についても同様の動作となる。リセットボタンＥ２をタップすると最大値・最小値が初期値に戻る。
【００４７】
即ち、制御部２３は、タッチパネル２２からの信号に基づきリセットボタンＥ２及び増減ボタンＥ４がタップされたことを検出して、タップに応じた最大値・最小値を数値Ｅ３として表示するとともに、これら最大値・最小値を記憶部２４に記憶する。制御部２３は、記憶した最大値・最小値に基づいてグラフエリアＡ４の表示範囲を決定し、表示部２１に表示する。
【００４８】
グラフ表示範囲設定領域Ｅにおいて、最大値及び最小値の初期値はそれぞれ２５５及び０に設定されている。この初期値が設定された状態におけるグラフエリアＡ４の表示の一例を図６（ａ）に示す。そして、グラフ表示範囲設定領域Ｅにおいて、増減ボタンＥ４が操作されて最大値及び最小値がそれぞれ１５０及び１００に設定されたときのグラフエリアＡ４の表示の一例を図６（ｂ）に示す。グラフエリアＡ４の表示範囲の最大値及び最小値を変えることで、グラフを拡大・縮小して表示することができる。
【００４９】
（６）表示サイズ変化閾値設定領域Ｆ
表示サイズ変化閾値設定領域Ｆは、Ｈｂ変化量を示すアイコンＡ２の表示の大きさを変化させる閾値を設定するためのものである。表示サイズ変化閾値設定領域Ｆでは、２つの閾値を設定することができ、これら第１閾値Ｆａ及び第２閾値Ｆｂによって、Ｈｂ変化量の値域を３つの値域部分に区画している。
【００５０】
表示サイズ変化閾値設定領域Ｆの上部に、当該領域のタイトルＦ１（「Ｈｂ変化量の閾値」）を配置し、左端部に第１閾値Ｆａ及び第２閾値Ｆｂを初期値に戻すリセットボタンＦ２を配置し、リセットボタンＦ２の右隣に３つの値域部分のそれぞれの範囲を示す数値Ｆ３を配置し、数値Ｆ３の右隣に第１閾値Ｆａ及び第２閾値Ｆｂを増減するための増加ボタン「＋」及び減少ボタン「−」を有する増減ボタンＦ４、Ｆ５を配置している。また、表示サイズ変化閾値設定領域Ｆの下部には、各閾値Ｆａ、Ｆｂ付近で値が変動することによるアイコンＡ２の表示のふらつき（頻繁な表示変化）が生じないようにするための不感帯の幅を示す数値Ｆ６を配置し、数値Ｆ６の右隣に不感帯の幅を増減するための増加ボタン「＋」及び減少ボタン「−」を有する増減ボタンＦ７を配置している。
【００５１】
表示サイズ変化閾値設定領域Ｆにおいて、第１閾値Ｆａに対応する増減ボタンＦ４の増加ボタンをタップすると数値Ｆ３の第１閾値Ｆａが増加し、増減ボタンＦ４の減少ボタンをタップすると数値Ｆ３の第１閾値Ｆａが減少する。第２閾値Ｆｂに対応する増減ボタンＦ５及び不感帯の幅に対応する増減ボタンＦ７についても同様の動作となる。リセットボタンＦ２をタップすると第１閾値Ｆａ、第２閾値Ｆｂ及び不感帯の幅が初期値に戻る。
【００５２】
即ち、制御部２３は、タッチパネル２２からの信号に基づきリセットボタンＦ２又は増減ボタンＦ４、Ｆ５、Ｆ７がタップされたことを検出して、タップに応じた第１閾値Ｆａ、第２閾値Ｆｂを数値Ｆ３として表示し、不感帯の幅を数値Ｆ６として表示するとともに、第１閾値Ｆａ、第２閾値Ｆｂ及び不感帯の幅を記憶部２４に記憶する。制御部２３は、記憶部２４に記憶した第１閾値Ｆａ、第２閾値Ｆｂ及び不感帯の幅と、センサモジュール１０から受信したＨｂ変化量の値とを比較してアイコンＡ２の表示の大きさを決定し、表示部２１に表示する。タッチパネル２２、制御部２３及び記憶部２４は、それぞれ閾値入力部、閾値設定部及び閾値記憶部として機能する。
【００５３】
アイコンＡ２として、Ｈｂ変化量の値が、表示サイズ変化閾値設定領域Ｆで設定した第２閾値Ｆｂ以上のとき、図７（ａ）に示す大アイコンを表示し、第２閾値Ｆｂより高くかつ第１閾値Ｆａより低いとき、図７（ｂ）に示す中アイコンを表示し、第１閾値Ｆａ以下のとき、図７（ｃ）に示す小アイコンを表示する。
【００５４】
また、不感帯についての動作を説明すると、例えば、Ｈｂ変化量の値が第２閾値Ｆｂ以上でありアイコンＡ２として大アイコンを表示している状態において、Ｈｂ変化量の値が、第２閾値Ｆｂをまたいで第２閾値Ｆｂより低くなった場合でも、Ｈｂ変化量の値が当該第２閾値Ｆｂより不感帯の幅として設定された値を超えて低くなっていないときは、大アイコンを表示し続ける。そして、Ｈｂ変化量の値が、第２閾値Ｆｂより不感帯の幅として設定された値を超えて低くなったとき、アイコンＡ２として中アイコンを表示する。第２閾値Ｆｂを反対方向にまたぐ場合も同様である。また、第１閾値Ｆａについても同様である。
【００５５】
（７）表示色変化閾値設定領域Ｇ
表示色変化閾値設定領域Ｇは、酸素度の値に基づき、Ｈｂ変化量を示すアイコンＡ２、酸素度を示すアイコンＢ２及び心数を示すアイコンＣ２の表示色の明るさを変化させる閾値を設定するためのものである。表示色変化閾値設定領域Ｇでは、２つの閾値を設定することができ、これら第１閾値Ｇａ及び第２閾値Ｇｂによって、酸素度の値域を３つの値域部分に区画している。
【００５６】
表示色変化閾値設定領域Ｇの上部に、当該領域のタイトルＧ１（「酸素度の閾値」）を配置し、左端部に第１閾値Ｇａ及び第２閾値Ｇｂを初期値に戻すリセットボタンＧ２を配置し、リセットボタンＧ２の右隣に３つの値域部分のそれぞれの範囲を示す数値Ｇ３を配置し、数値Ｇ３の右隣に第１閾値Ｇａ及び第２閾値Ｇｂを増減するための増加ボタン「＋」及び減少ボタン「−」を有する増減ボタンＧ４、Ｇ５を配置している。また、表示色変化閾値設定領域Ｇの下部には、各閾値Ｇａ、Ｇｂ付近で値が変動することによる各アイコンＡ２〜Ｃ２の表示のふらつき（頻繁な表示変化）が生じないようにするための不感帯の幅を示す数値Ｇ６を配置し、数値Ｇ６の右隣に不感帯の幅を増減するための増加ボタン「＋」及び減少ボタン「−」を有する増減ボタンＧ７を配置している。
【００５７】
表示色変化閾値設定領域Ｇにおいて、第１閾値Ｇａに対応する増減ボタンＧ４の増加ボタンをタップすると数値Ｇ３の第１閾値Ｇａが増加し、増減ボタンＧ４の減少ボタンをタップすると数値Ｇ３の第１閾値Ｇａが減少する。第２閾値Ｇｂに対応する増減ボタンＧ５及び不感帯の幅に対応する増減ボタンＧ７についても同様の動作となる。リセットボタンＧ２をタップすると第１閾値Ｇａ、第２閾値Ｇｂ及び不感帯の幅が初期値に戻る。
【００５８】
即ち、制御部２３は、タッチパネル２２からの信号に基づきリセットボタンＧ２又は増減ボタンＧ４、Ｇ５、Ｇ７がタップされたことを検出して、タップに応じた第１閾値Ｇａ、第２閾値Ｇｂを数値Ｇ３として表示し、不感帯の幅を数値Ｇ６として表示するとともに、第１閾値Ｇａ、第２閾値Ｇｂ及び不感帯の幅を記憶部２４に記憶する。制御部２３は、記憶部２４に記憶した第１閾値Ｇａ、第２閾値Ｇｂ及び不感帯の幅と、センサモジュール１０から受信した酸素度の値とを比較してアイコンＡ２〜Ｃ２の表示色の明るさを決定し、表示部２１に表示する。
【００５９】
アイコンＡ２〜Ｃ２として、酸素度の値が、表示色変化閾値設定領域Ｇで設定した第２閾値Ｇｂ以上のとき、図８（ａ）に示す最も明るいアイコンを表示し、第２閾値Ｇｂより高くかつ第１閾値Ｇａより低いとき、図８（ｂ）に示す中程度に明るいアイコンを表示し、第１閾値Ｇａ以下のとき、図８（ｃ）に示す最も暗いアイコンを表示する。
【００６０】
また、不感帯の動作について説明すると、例えば、酸素度の値が第２閾値Ｇｂ以上でありアイコンＡ２〜Ｃ２として最も明るいアイコンを表示している状態において、酸素度の値が、第２閾値Ｇｂをまたいで第２閾値Ｇｂより低くなった場合でも、酸素度の値が当該第２閾値Ｇｂより不感帯の幅として設定された値を超えて低くなっていないときは、最も明るいアイコンを表示し続ける。そして、酸素度の値が、第２閾値Ｇｂより不感帯の幅として設定された値を超えて低くなったとき、アイコンＡ２〜Ｃ２として中程度に明るいアイコンを表示する。第２閾値Ｇｂを反対方向にまたぐ場合も同様である。また、第１閾値Ｇａについても同様である。
【００６１】
図５に示す設定画面において、設定タブＸを３回連続してタップすると、設定画面Ｓが生体関連情報表示画面Ｗ１、Ｗ２の右端にスライドしながら隠れて、図３、図４に示す生体関連情報表示画面Ｗ１、Ｗ２を再度表示する。
【００６２】
表示装置２０の制御部２３は、図４に示す生体関連情報表示画面Ｗ２において、無線通信部２５が逐次受信するＨｂ変化量、酸素度及び心数の各生体関連情報を取り込んで、数値Ａ３〜Ｃ３及びグラフエリアＡ４の表示を更新する。
【００６３】
また、生体関連情報表示画面Ｗ２において、制御部２３は、図７に示すように、大中小の赤血球形状のアイコンの中からＨｂ変化量に応じて選択された大きさのアイコンを、Ｈｂ変化量を示すアイコンＡ２として表示部２１に表示する。
【００６４】
また、生体関連情報表示画面Ｗ２において、制御部２３は、図８に示すように、明るさの異なる各アイコンの中から酸素度に応じて選択された明るさのアイコンを、Ｈｂ変化量を示すアイコンＡ２、酸素度を示すアイコンＢ２及び心数を示すアイコンＣ２として表示部２１に表示する。
【００６５】
また、生体関連情報表示画面Ｗ２において、制御部２３は、図９に示すように、左に傾いた赤血球形状のアイコン及び右に傾いた赤血球形状のアイコンを、Ｈｂ変化量を示すアイコンＡ２として周期的（例えば、１秒周期）に切り替えて表示部２１に表示する。また、制御部２３は、アイコンＢ２について、表示位置を周期的に上下に移動して表示部２１に表示する。
【００６６】
また、生体関連情報表示画面Ｗ２において、制御部２３は、図１０に示すように、心数を示すハート形状のアイコンＣ２を、心数（具体的には、血中を流れるヘモグロビンの単位時間当たりの量（ヘモグロビン速度））に応じた大きさで表示部２１に表示する。なお、心数は、ヘモグロビン速度の波形における隣接するピーク間の時間で６０秒を除した値を用いており、つまり１分間当たりの鼓動数（単位：回／分）を示している。１回の鼓動で、大きいアイコンから小さいアイコンに変化したあと、また大きいアイコンに変化するため、心数が少ないときはアイコンＣ２の大きさがゆっくり切り替わり、心数が多いときはアイコンＣ２の大きさが早く切り替わる。
【００６７】
以上より、本実施形態によれば、表示装置２０が、表示部２１と、表示部２１にＨｂ変化量に対応するアイコンＡ２を表示するとともに、Ｈｂ変化量に応じてアイコンＡ２の表示の大きさを変化させる制御部２３と、を有している。このようにしたことから、Ｈｂ変化量により示される被検体の状態がアイコンＡ２の大きさに反映されて、アイコンＡ２により視覚的に被検体の状態を示すことができる。また、心数を示すアイコンＣ２についても同様である。
【００６８】
また、表示装置２０が、表示部２１と、表示部２１にＨｂ変化量、酸素度及び心数に対応する複数のアイコンＡ２〜Ｃ２を表示するとともに、酸素度の変化に応じて複数のアイコンＡ２〜Ｃ２の明るさを変化させる制御部２３と、を有している。このようにしたことから、Ｈｂ変化量、酸素度及び心数により示される被検体の状態が複数のアイコンＡ２〜Ｃ２の明るさに反映されて、アイコンＡ２〜Ｃ２により視覚的に被検体の状態を示すことができる。
【００６９】
上記表示装置２０は、制御部２３が、複数のアイコンＡ２〜Ｃ２のうちの一部のアイコンＣ２について、心数を示すヘモグロビン速度に応じて大きさを変化させ、他の一部のアイコンＡ２について、周期的に形状を変化させ、アイコンＢ２について周期的に表示位置を変化させる。このようにすることで、生体関連情報の変化に応じて不規則的に表示態様を変化させるアイコンＣ２と、時間経過に応じて規則的に表示態様を変化させるアイコンＡ２、Ｂ２とを混在して表示することができ、表示態様に変化を与えることができる。
【００７０】
上記表示装置２０は、Ｈｂ変化量の値域を複数の値域部分に区画する複数の閾値（第１閾値Ｆａ、第２閾値Ｆｂ）を記憶する記憶部２４をさらに有している。複数の値域部分には、複数の異なる大きさのアイコンＡ２が割り当てられている。そして、制御部２３が、Ｈｂ変化量が含まれる値域部分に割り当てられた大きさのアイコンＡ２を表示するように構成されている。このようにすることで、Ｈｂ変化量を示す値が取り得る値域について、大、中、小の３つの値域部分に分けて、各値域部分に大きさの異なるアイコンＡ２を割り当てることで、各アイコンＡ２により被検体の状態を大まかに示すことができる。酸素度の値域を複数の値域部分に区画して、複数の値域部分に複数の異なる表示色の明るさのアイコンＡ２〜Ｃ２を割り当てた構成においても、同様の作用効果を奏する。
【００７１】
上記表示装置２０は、閾値が入力されるタッチパネル２２と、タッチパネル２２に入力された閾値を記憶部２４に記憶させる制御部２３と、をさらに有している。このようにすることで、閾値を再設定することができるので、各値域部分の幅を、例えば、男性、女性、年齢層などの被検体のタイプに合わせて変更することができる。
【００７２】
上記表示装置２０は、Ｈｂ変化量の値域に含まれる複数の値域部分に、複数の異なる表示態様として複数の異なる大きさのアイコンＡ２が割り当てられている。このようにすることで、Ｈｂ変化量の値に応じてアイコンＡ２の大きさが変化して、アイコンＡ２の大きさにより視覚的に被検体の状態を示すことができる。
【００７３】
上記表示装置２０は、酸素度の値域に含まれる複数の値域部分に、複数の異なる表示態様として複数の異なる表示色の明るさのアイコンＡ２〜Ｃ２が割り当てられている。このようにすることで、酸素度の値に応じてアイコンＡ２〜Ｃ２の明るさが変化して、アイコンＡ２〜Ｃ２の明るさにより視覚的に被検体の状態を示すことができる。
【００７４】
したがって、興味を引きかつ被検体の状態を容易に把握できる表示を行うことができる。
【００７５】
上述した実施形態の表示装置２０では、生体関連情報表示画面Ｗ１、Ｗ２において、Ｈｂ変化量を表示する第１表示領域Ａ、酸素度を表示する第２表示領域Ｂ及び心数を表示する第３表示領域を上から下に順に配列して表示する構成であったが、これに限定されるものではない。例えば、図１１に示すように、第１表示領域Ａを画面上半分に表示し、第２表示領域Ｂ及び第３表示領域Ｃを画面下半分において左右に並べて表示する生体関連情報表示画面Ｗ３を採用してもよく、本発明の目的に反しない限り、各表示領域の配列はシステム構成等に応じて任意である。なお、生体関連情報表示画面Ｗ３では、各表示領域のタイトルについて、「Ｈｂ変化量」を「ＮＩＲＳ（ΔＨｂ）」、「酸素度」を「ＳｐＯ２」、「心数」を「ＨＲ」として英語で表示している
【００７６】
また、上述した実施形態の表示装置２０では、複数の生体関連情報（Ｈｂ変化量、酸素度及び心数）を表示するものであったが、これに限定されるものではない。例えば、心数のみ、又は、酸素度のみなど、１つの生体関連情報のみを表示するものであってもよい。また、生体関連情報として、Ｈｂ変化量、酸素度及び心数以外の生体に関する情報を表示してもよい。
【００７７】
なお、上記に本発明の実施形態を説明したが、本発明はこれらの例に限定されるものではない。前述の各実施形態又はその適用例に対して、当業者が適宜、構成要素の追加、削除、設計変更を行ったものや、各実施形態の特徴を適宜組み合わせたものも、本発明の要旨を備えている限り、本発明の範囲に含まれる。
【符号の説明】
【００７８】
１          生体関連情報表示システム
１０        センサモジュール
１１        発光部
１１ａ      発光素子
１１ｂ      ドライブ回路
１２        受光部
１２ａ      受光素子
１２ｂ      増幅回路
１３        （センサモジュールの）制御部（生体関連情報推定部）
１４        （センサモジュールの）無線通信部
２０        表示装置
２１        表示部
２２        タッチパネル（閾値入力部）
２３        制御部（表示制御部、閾値設定部）
２４        記憶部（閾値記憶部）
２５        無線通信部
Ａ          第１表示領域［Ｈｂ変化量］
Ａ１        （第１表示領域の）タイトル
Ａ２        （第１表示領域の）アイコン（絵記号）
Ａ３        （第１表示領域の）数値
Ａ４        （第１表示領域の）グラフエリア
Ｂ          第２表示領域［酸素度］
Ｂ１        （第２表示領域の）タイトル
Ｂ２        （第２表示領域の）アイコン（絵記号）
Ｂ３        （第２表示領域の）数値
Ｃ          第３表示領域［心数］
Ｃ１        （第３表示領域の）タイトル
Ｃ２        （第３表示領域の）アイコン（絵記号）
Ｃ３        （第３表示領域の）数値
Ｄ          第４表示領域［予備領域］
Ｅ          グラフ表示範囲設定領域
Ｅ１        （グラフ表示範囲設定領域の）タイトル
Ｅ２        （グラフ表示範囲設定領域の）リセットボタン
Ｅ３        （グラフ表示範囲設定領域の）数値
Ｅ４        （グラフ表示範囲設定領域の最大値の）増減ボタン
Ｅ５        （グラフ表示範囲設定領域の最小値の）増減ボタン
Ｆ          表示サイズ変化閾値設定領域
Ｆ１        （表示サイズ変化閾値設定領域の）タイトル
Ｆ２        （表示サイズ変化閾値設定領域の）リセットボタン
Ｆ３        （表示サイズ変化閾値設定領域の値域部分の）数値
Ｆ４        （表示サイズ変化閾値設定領域の第１閾値の）増減ボタン
Ｆ５        （表示サイズ変化閾値設定領域の第２閾値の）増減ボタン
Ｆ６        （表示サイズ変化閾値設定領域の不感帯の幅の）数値
Ｆ７        （表示サイズ変化閾値設定領域の不感帯の幅の）増減ボタン
Ｆａ        （表示サイズ変化閾値設定領域の）第１閾値
Ｆｂ        （表示サイズ変化閾値設定領域の）第２閾値
Ｇ          表示色変化閾値設定領域
Ｇ１        （表示色変化閾値設定領域の）タイトル
Ｇ２        （表示色変化閾値設定領域の）リセットボタン
Ｇ３        （表示色変化閾値設定領域の値域部分の）数値
Ｇ４        （表示色変化閾値設定領域の第１閾値の）増減ボタン
Ｇ５        （表示色変化閾値設定領域の第２閾値の）増減ボタン
Ｇ６        （表示色変化閾値設定領域の不感帯の幅の）数値
Ｇ７        （表示色変化閾値設定領域の不感帯の幅の）増減ボタン
Ｇａ        （表示色変化閾値設定領域の）第１閾値
Ｇｂ        （表示色変化閾値設定領域の）第２閾値
Ｓ          設定画面
Ｗ１、Ｗ２  生体関連情報表示画面
Ｘ          設定タブ
【図１】
2016202412.tif 000003
【図２】
2016202412.tif 000004
【図３】
2016202412.tif 000005
【図４】
2016202412.tif 000006
【図５】
2016202412.tif 000007
【図６】
2016202412.tif 000008
【図７】
2016202412.tif 000009
【図８】
2016202412.tif 000010
【図９】
2016202412.tif 000011
【図１０】
2016202412.tif 000012
【図１１】
2016202412.tif 000013